(57)【要約】【課題】繰り出されるべき硬貨の直径の差が大きいような複数の種類の硬貨が処理される場合でも硬貨を１枚ずつ硬貨収納部から繰り出すことができる硬貨入出金機を提供する。【解決手段】硬貨を金種別に収納する硬貨収納部６０が、処理対象範囲が直径の小さい硬貨を対象とした第１処理対象範囲である硬貨を１枚ずつ繰出可能とする構成の第１種収納部と、処理対象範囲が中間の直径の硬貨を対象とした第２処理対象範囲である硬貨を１枚ずつ繰出可能とする構成の第２種収納部と、処理対象範囲が直径の大きい硬貨を対象とした第３処理対象範囲である硬貨を１枚ずつ繰出可能とする構成の第３種収納部と、を少なくとも含んでいる。第１処理対象範囲と第２処理対象範囲とが一部重なるとともに、第２処理対象範囲と第３処理対象範囲とが一部重なる。【選択図】図５
2022000740.tif 000002
【特許請求の範囲】
【請求項１】
入金された硬貨を金種別に収納するとともに収納されている硬貨を出金することができる硬貨入出金機であって、
硬貨を金種別に収納する硬貨収納部が、
処理対象範囲が直径の小さい硬貨を対象とした第１処理対象範囲である硬貨を１枚ずつ繰出可能とする構成の第１種収納部と、
処理対象範囲が中間の直径の硬貨を対象とした第２処理対象範囲である硬貨を１枚ずつ繰出可能とする構成の第２種収納部と、
処理対象範囲が直径の大きい硬貨を対象とした第３処理対象範囲である硬貨を１枚ずつ繰出可能とする構成の第３種収納部と、
を少なくとも含み、
前記第２処理対象範囲の下限値および上限値がそれぞれ前記第１処理対象範囲の下限値および上限値よりも大きく、
前記第３処理対象範囲の下限値および上限値がそれぞれ前記第２処理対象範囲の下限値および上限値よりも大きく、
前記第１処理対象範囲と前記第２処理対象範囲とが一部重なるとともに、前記第２処理対象範囲と前記第３処理対象範囲とが一部重なる、硬貨入出金機。
【請求項２】
前記第１種収納部、前記第２種収納部および前記第３種収納部は、それぞれ傾斜状態で回転可能に設けられた円盤を有しており、
前記円盤は、表面に複数の突起を有し、回転時に各前記突起により硬貨が引っ掛けられて上昇させられることにより硬貨繰出口から繰り出され、
前記円盤の前記突起の引っ掛け部の幅が、前記第１種収納部、前記第２種収納部および前記第３種収納部において異なる、請求項１記載の硬貨入出金機。
【請求項３】
前記第１種収納部の前記引っ掛け部の幅は、前記第１処理対象範囲である硬貨を１つのみ引っ掛ける大きさであり、
前記第２種収納部の前記引っ掛け部の幅は、前記第２処理対象範囲である硬貨を１つのみ引っ掛ける大きさであり、
前記第３種収納部の前記引っ掛け部の幅は、前記第３処理対象範囲である硬貨を１つのみ引っ掛ける大きさである、請求項２記載の硬貨入出金機。
【請求項４】
前記硬貨繰出口の幅の大きさが、前記第１種収納部、前記第２種収納部および前記第３種収納部において異なる、請求項２記載の硬貨入出金機。
【請求項５】
前記第１種収納部の前記硬貨繰出口の幅の大きさは、前記第１処理対象範囲である硬貨が一度に１つのみ繰り出される大きさであり、
前記第２種収納部の前記硬貨繰出口の幅の大きさは、前記第２処理対象範囲である硬貨が一度に１つのみ繰り出される大きさであり、
前記第３種収納部の前記硬貨繰出口の幅の大きさは、前記第３処理対象範囲である硬貨が一度に１つのみ繰り出される大きさである、請求項４記載の硬貨入出金機。
【請求項６】
前記第１種収納部、前記第２種収納部および前記第３種収納部のうち前記第２種収納部の数が最も多く、前記第１種収納部の数および前記第３種収納部の数はそれぞれ前記第２種収納部の数の半分以下である、請求項１乃至５のいずれか一項に記載の硬貨入出金機。
【請求項７】
前記第１種収納部の数および前記第３種収納部の数のうち少なくとも一方の数は１つである、請求項６記載の硬貨入出金機。
【請求項８】
前記第１種収納部の数が１つ、前記第２種収納部の数が５つ、前記第３種収納部の数が２つである、請求項１乃至７のいずれか一項に記載の硬貨入出金機。
【請求項９】
前記第１処理対象範囲と前記第２処理対象範囲との重なりが、前記第１処理対象範囲の４０％以上であり、
前記第２処理対象範囲と前記第３処理対象範囲との重なりが、前記第３処理対象範囲の４０％以上である、請求項１乃至８のいずれか一項に記載の硬貨入出金機。
【請求項１０】
前記第１処理対象範囲の上限値が、前記第３処理対象範囲の下限値以上である、請求項９記載の硬貨入出金機。
【請求項１１】
前記第１処理対象範囲は１４ｍｍ〜２１ｍｍであり、前記第２処理対象範囲は１６ｍｍ〜２６ｍｍであり、前記第３処理対象範囲は２１ｍｍ〜３３ｍｍである、請求項１乃至１０のいずれか一項に記載の硬貨入出金機。
【発明の詳細な説明】
【技術分野】
【０００１】
本発明は、入金された硬貨を金種別に収納するとともに収納されている硬貨を出金することができる硬貨入出金機に関する。
【背景技術】
【０００２】
入金された硬貨を金種別に収納するとともに収納されている硬貨を出金することができる硬貨入出金機として様々な種類のものが知られている。例えば、特許文献１には、硬貨を１度に１枚ずつ繰り出すような回転円盤を有する硬貨繰出装置を備えた硬貨入出金機が開示されている。
【先行技術文献】
【特許文献】
【０００３】
【特許文献１】特開２０１２−１７４０３５号公報
【発明の概要】
【発明が解決しようとする課題】
【０００４】
特許文献１に開示される硬貨繰出装置では、繰り出されるべき硬貨の直径の差が大きいような複数の種類の硬貨が処理される場合に、回転円盤の突起に引っ掛けられて硬貨が上昇する際に１つの突起に直径が小さな硬貨が複数枚引っ掛けられてしまう場合がある。この場合には、硬貨繰出装置から複数枚の硬貨が一度に繰り出されてしまうおそれがあった。
【０００５】
本発明は、このような点を考慮してなされたものであり、繰り出されるべき硬貨の直径の差が大きいような複数の種類の硬貨が処理される場合でも硬貨を１枚ずつ硬貨収納部から繰り出すことができる硬貨入出金機を提供することを目的とする。
【課題を解決するための手段】
【０００６】
本発明の硬貨入出金機は、入金された硬貨を金種別に収納するとともに収納されている硬貨を出金することができる硬貨入出金機であって、硬貨を金種別に収納する硬貨収納部が、処理対象範囲が直径の小さい硬貨を対象とした第１処理対象範囲である硬貨を１枚ずつ繰出可能とする構成の第１種収納部と、処理対象範囲が中間の直径の硬貨を対象とした第２処理対象範囲である硬貨を１枚ずつ繰出可能とする構成の第２種収納部と、処理対象範囲が直径の大きい硬貨を対象とした第３処理対象範囲である硬貨を１枚ずつ繰出可能とする構成の第３種収納部と、を少なくとも含み、前記第２処理対象範囲の下限値および上限値がそれぞれ前記第１処理対象範囲の下限値および上限値よりも大きく、前記第３処理対象範囲の下限値および上限値がそれぞれ前記第２処理対象範囲の下限値および上限値よりも大きく、前記第１処理対象範囲と前記第２処理対象範囲とが一部重なるとともに、前記第２処理対象範囲と前記第３処理対象範囲とが一部重なることを特徴とする。
【０００７】
本発明の硬貨入出金機においては、前記第１種収納部、前記第２種収納部および前記第３種収納部は、それぞれ傾斜状態で回転可能に設けられた円盤を有しており、前記円盤は、表面に複数の突起を有し、回転時に各前記突起により硬貨が引っ掛けられて上昇させられることにより硬貨繰出口から繰り出され、前記円盤の前記突起の引っ掛け部の幅が、前記第１種収納部、前記第２種収納部および前記第３種収納部において異なっていてもよい。
【０００８】
この場合、前記第１種収納部の前記引っ掛け部の幅は、前記第１処理対象範囲である硬貨を１つのみ引っ掛ける大きさであり、前記第２種収納部の前記引っ掛け部の幅は、前記第２処理対象範囲である硬貨を１つのみ引っ掛ける大きさであり、前記第３種収納部の前記引っ掛け部の幅は、前記第３処理対象範囲である硬貨を１つのみ引っ掛ける大きさであってもよい。
【０００９】
また、前記硬貨繰出口の幅の大きさが、前記第１種収納部、前記第２種収納部および前記第３種収納部において異なっていてもよい。
【００１０】
この場合、前記第１種収納部の前記硬貨繰出口の幅の大きさは、前記第１処理対象範囲である硬貨が一度に１つのみ繰り出される大きさであり、前記第２種収納部の前記硬貨繰出口の幅の大きさは、前記第２処理対象範囲である硬貨が一度に１つのみ繰り出される大きさであり、前記第３種収納部の前記硬貨繰出口の幅の大きさは、前記第３処理対象範囲である硬貨が一度に１つのみ繰り出される大きさであってもよい。
【００１１】
また、前記第１種収納部、前記第２種収納部および前記第３種収納部のうち前記第２種収納部の数が最も多く、前記第１種収納部の数および前記第３種収納部の数はそれぞれ前記第２種収納部の数の半分以下であってもよい。
【００１２】
この場合、前記第１種収納部の数および前記第３種収納部の数のうち少なくとも一方の数は１つであってもよい。
【００１３】
また、前記第１種収納部の数が１つ、前記第２種収納部の数が５つ、前記第３種収納部の数が２つであってもよい。
【００１４】
また、前記第１処理対象範囲と前記第２処理対象範囲との重なりが、前記第１処理対象範囲の４０％以上であり、前記第２処理対象範囲と前記第３処理対象範囲との重なりが、前記第３処理対象範囲の４０％以上であってもよい。
【００１５】
この場合、前記第１処理対象範囲の上限値が、前記第３処理対象範囲の下限値以上であってもよい。
【００１６】
また、前記第１処理対象範囲は１４ｍｍ〜２１ｍｍであり、前記第２処理対象範囲は１６ｍｍ〜２６ｍｍであり、前記第３処理対象範囲は２１ｍｍ〜３３ｍｍであってもよい。
【発明の効果】
【００１７】
本発明の硬貨入出金機によれば、繰り出されるべき硬貨の直径の差が大きいような複数の種類の硬貨が処理される場合でも硬貨を１枚ずつ硬貨収納部から繰り出すことができる。
【図面の簡単な説明】
【００１８】
【図１】本発明の実施の形態による硬貨入出金機の内部構成を概略的に示す概略構成図である。
【図２】図１に示す硬貨入出金機の各硬貨収納部のＡ−Ａ矢視による構成を示す構成図である。
【図３】図１等に示す硬貨入出金機の繰出部、搬送部および選別部等の構成の詳細を示す構成図である。
【図４】図１等に示す硬貨入出金機の機能的な構成を示すブロック図である。
【図５】図１等に示す硬貨入出金機の各硬貨収納部の収納対象硬貨を示す表である。
【図６】変形例に係る硬貨入出金機の各硬貨収納部の構成を概略的に示す概略構成図である。
【図７】図６に示す硬貨収納部の仕切り板の構成を示す構成図である。
【発明を実施するための形態】
【００１９】
以下、図面を参照して本発明の実施の形態について説明する。図１乃至図５は、本実施の形態に係る硬貨入出金機１０を示す図である。本実施の形態に係る硬貨入出金機１０は、硬貨の入金処理および出金処理等を行うものである。
【００２０】
まず、硬貨入出金機１０の全体構成について図１を用いて説明する。図１に示すように、硬貨入出金機１０は、繰出部２０と、搬送部３０と、識別部４０と、選別部５０と、複数の硬貨収納部６０と、回収ボックス１００と、収納ドロア１０２とを備えている。また、硬貨入出金機１０は略直方体形状の筐体１２を有している。そして、この筐体１２の内部に、繰出部２０、搬送部３０、識別部４０、選別部５０、複数の硬貨収納部６０、回収ボックス１００、収納ドロア１０２等が配置されている。
【００２１】
図１における硬貨入出金機１０の筐体１２の左側の面が、硬貨入出金機１０を手前側から見た時の正面である。また、図１における右方向は、硬貨入出金機１０の奥行き方向である。
【００２２】
繰出部２０は、筐体１２の上面に設けられた硬貨投入口（図示せず）を介して筐体１２の外部から内部に投入された硬貨が収納される。また、繰出部２０は、収納されている硬貨を１枚ずつ搬送部３０に繰り出す。このような繰出部２０の構成の詳細については後述する。
【００２３】
搬送部３０は、繰出部２０から繰り出された硬貨を１枚ずつ搬送する。また、搬送部３０には識別部４０が設けられている。識別部４０は、搬送部３０により搬送される硬貨の金種、真偽、正損、搬送状態等の識別を行う。また、図３に示すように、搬送部３０には複数の検出部４２が設けられている。各検出部４２は、搬送部３０により搬送される硬貨が通過したときにこの硬貨を検出する。このような搬送部３０の構成の詳細については後述する。
【００２４】
搬送部３０には複数（具体的には、８つ）の選別部５０が設けられている。各選別部５０は、識別部４０による硬貨の識別結果に基づいて、搬送部３０により搬送される硬貨を選別してこの搬送部３０から硬貨収納部６０に送る。このような選別部５０の構成の詳細については後述する。
【００２５】
図１および図２に示すように搬送部３０の下方には複数（具体的には、８つ）の硬貨収納部６０が設けられている。ここで、複数の選別部５０の各々は、複数の硬貨収納部６０の各々に対応している。そして、搬送部３０により搬送される硬貨が選別部５０により選別されると、選別された硬貨は選別部５０に対応する硬貨収納部６０に送られる。
【００２６】
各硬貨収納部６０は、選別部５０から送られた硬貨を収納するとともに収納されている硬貨を１枚ずつ繰り出して収納ドロア１０２に送る。収納ドロア１０２は、筐体１２の前面側から当該筐体１２の外部に引き出し可能となっている。また、収納ドロア１０２の下方には回収ボックス１００が設けられている。回収ボックス１００も筐体１２の前面側から当該筐体１２の外部に引き出し可能となっている。このような硬貨収納部６０の構成の詳細については後述する。
【００２７】
なお、各硬貨収納部６０の下方であって収納ドロア１０２の上方の位置に出金搬送部が設けられるとともに、出金搬送部から硬貨が搬送される硬貨出金部が設けられていてもよい。より詳細には、出金搬送部は、各硬貨収納部６０から繰り出された硬貨を硬貨出金部および収納ドロア１０２のうち何れかに送る。硬貨出金部は硬貨受け部分を有しており、出金搬送部から硬貨出金部に送られた硬貨は硬貨受け部分に集積される。また、操作者は筐体１２の外部から硬貨出金部の硬貨受け部分にアクセス可能となっている。このことにより、硬貨受け部分に集積された出金硬貨を操作者は筐体１２の外部に取り出すことができる。
【００２８】
また、筐体１２の内部における前面側には、オーバーフローボックス１０６、偽貨ボックス１０８、異物返却ボックス１１０およびリジェクト口１１２が設けられている。オーバーフローボックス１０６、偽貨ボックス１０８、異物返却ボックス１１０はそれぞれ筐体１２の外部に引き出し可能となっている。また、操作者は筐体１２の外部からリジェクト口１１２の内部にアクセス可能となっている。このため、リジェクト口１１２に送られた硬貨を操作者は筐体１２の外部に取り出すことができる。
【００２９】
次に、繰出部２０、搬送部３０、識別部４０、各検出部４２および各選別部５０等の構成の詳細について図３を用いて説明する。
【００３０】
図３に示すように、繰出部２０は、軸２２ａを中心として回転する円盤２２を有している。円盤２２は表面に複数の突起２２ｂを有している。また、円盤２２は傾斜状態で回転可能に設けられている。円盤２２が図３において反時計回りの方向に回転すると、各突起２２ｂに硬貨が引っ掛けられることによりこの硬貨は上昇する。
【００３１】
また、繰出部２０は取出機構２８を有している。取出機構２８は、各突起２２ｂに引っ掛けられることにより上昇した硬貨を１枚のみ把持して円盤２２上から取り除いて円盤２２の外に出す。取出機構２８により円盤２２の外に出された硬貨は搬送部３０に送られる。このようにして、繰出部２０から硬貨が１枚ずつ搬送部３０に繰り出される。
【００３２】
また、繰出部２０には、この繰出部２０に収納されている硬貨を検知するための残留検知センサ（図示せず）が設けられている。
【００３３】
また、繰出部２０の底部に設けられた異物排除ゲート２９が開くとこの繰出部２０に収容されているクリップ等の異物は自重により繰出部２０から異物返却ボックス１１０に落下して異物返却ボックス１１０に収容されるようになっている。操作者は異物返却ボックス１１０を筐体１２から外部に引き出すことにより、異物返却ボックス１１０に収納されている異物を取り出すことができる。
【００３４】
搬送部３０は、第１搬送路３２と、第１搬送路３２の上方に設けられた第２搬送路３６と、第１搬送路３２により搬送される硬貨の搬送方向を１８０°変えて第２搬送路３６に送る折り返し部分３４とを有している。繰出部２０から搬送部３０に繰り出された硬貨はまず第１搬送路３２に沿って図３における右方向に搬送され、次に折り返し部分３４で搬送方向が１８０°変えられる。
【００３５】
そして、折り返し部分３４から第２搬送路３６に送られた硬貨は第２搬送路３６に沿って図３における左方向に搬送される。また、第２搬送路３６の下流側端部には、第２搬送路３６から繰出部２０に硬貨を案内するための案内部３８が設けられている。そして、第２搬送路３６から案内部３８に硬貨が送られると、この硬貨は案内部３８により繰出部２０の円盤２２の上部位置に戻される。
【００３６】
搬送部３０は無端状のベルト３０ａを有しており、このベルト３０ａには複数の突起３０ｂが等間隔で設けられている。ベルト３０ａは複数のプーリ３１、３９等に掛けられており、複数のプーリ３１、３９等のうちあるプーリがモータによって回転させられることによりベルト３０ａが図３において反時計回りの方向に循環移動する。このことにより、繰出部２０から搬送部３０に繰り出された硬貨は突起３０ｂに引っ掛けられることにより１枚ずつ搬送される。
【００３７】
搬送部３０における硬貨の搬送路には識別部４０および複数の検出部４２が配置されている。識別部４０は、例えばラインセンサおよび磁気センサを組み合わせたものである。識別部４０は、搬送部３０により搬送される硬貨の金種、真偽、正損、搬送状態等の識別を行う。
【００３８】
各検出部４２は、硬貨の搬送路を挟むよう設けられた発光素子および受光素子を含む光学センサである。搬送部３０においてベルト３０ａにより搬送される硬貨が各検出部４２を通過する際に、発光素子から発せられた光が硬貨に遮られて受光素子により受けられなくなることにより各検出部４２は硬貨を検出する。このような検出部４２による硬貨の検出結果により硬貨の搬送異常（例えば、連鎖や重送）も検出することができる。
【００３９】
ベルト３０ａによる硬貨の搬送方向における識別部４０の下流側にはリジェクト部５６が設けられている。リジェクト部５６は、この識別部４０の上流側にある検出部４２により検出されたが識別部４０により識別できなかった硬貨（例えば、樹脂から構成される樹脂貨等）を搬送部３０から選別してリジェクト口１１２に送る。また、上述したように、操作者はリジェクト口１１２に送られた硬貨を筐体１２の外部に取り出すことができる。
【００４０】
ベルト３０ａによる硬貨の搬送方向におけるリジェクト部５６の下流側には複数の選別部５０が設けられている。複数の選別部５０は、第１選別部５０Ａ、第２選別部５０Ｂ、第３選別部５０Ｃ、第４選別部５０Ｄ、第５選別部５０Ｅ、第６選別部５０Ｆ、第７選別部５０Ｇおよび第８選別部５０Ｈから構成されている。
【００４１】
各選別部５０は各硬貨収納部６０に対応している。また、各硬貨収納部６０には金種がそれぞれ割り当てられている。そして、各選別部５０は、識別部４０による硬貨の識別結果に基づいて、対応する硬貨収納部６０に割り当てられた金種の硬貨を搬送部３０から選別して対応する硬貨収納部６０に送る。
【００４２】
ベルト３０ａによる硬貨の搬送方向における各選別部５０の下流側にはオーバーフロー選別部５２および偽貨選別部５４が設けられている。識別部４０により識別された硬貨の金種に対応する硬貨収納部６０がフル状態またはニアフル状態でありこの硬貨収納部６０に硬貨をこれ以上収納することができない場合は、この硬貨は硬貨収納部６０に対応する選別部５０により選別されない。そして、この硬貨はオーバーフロー選別部５２により搬送部３０から選別されてオーバーフローボックス１０６に送られる。
【００４３】
また、識別部４０により偽貨であると識別された硬貨は、偽貨選別部５４により搬送部３０から選別されて偽貨ボックス１０８に送られる。操作者はオーバーフローボックス１０６および偽貨ボックス１０８を筐体１２から外部に引き出すことにより、オーバーフローボックス１０６に収納されている硬貨および偽貨ボックス１０８に収納されている偽貨としての硬貨を取り出すことができる。
【００４４】
搬送部３０の下方には複数の硬貨収納部６０が設けられている。複数の硬貨収納部６０は、第１硬貨収納部６０Ａ、第２硬貨収納部６０Ｂ、第３硬貨収納部６０Ｃ、第４硬貨収納部６０Ｄ、第５硬貨収納部６０Ｅ、第６硬貨収納部６０Ｆ、第７硬貨収納部６０Ｇおよび第８硬貨収納部６０Ｈから構成されている。
【００４５】
上述したように、各硬貨収納部６０は、対応する選別部５０により搬送部３０から選別された硬貨を収納する。また、各硬貨収納部６０は、収納されている硬貨を１枚ずつ繰り出して収納ドロア１０２や回収ボックス１００に送ることができるようになっている。また、各硬貨収納部６０には、収納される硬貨の金種が割り当てられている。このことにより、各硬貨収納部６０は硬貨を金種別に収納する。
【００４６】
本実施の形態では、硬貨を金種別に収納する硬貨収納部６０が、直径の小さい硬貨を収納する第１種収納部、中間の直径の硬貨を収納する第２種収納部および直径の大きい硬貨を収納する第３種収納部を少なくとも含んでいる。具体的には、８つの硬貨収納部６０のうち、１つの硬貨収納部６０は第１種収納部であり、５つの硬貨収納部６０は第２種収納部であり、２つの硬貨収納部６０は第３種収納部である。
【００４７】
具体的には、図５に示すように、第１硬貨収納部６０Ａは第１種収納部であり、収納対象硬貨は直径の小さい硬貨である。また、第２硬貨収納部６０Ｂ、第３硬貨収納部６０Ｃ、第４硬貨収納部６０Ｄ、第５硬貨収納部６０Ｅおよび第６硬貨収納部６０Ｆはそれぞれ第２種収納部であり、収納対象硬貨は中間の直径の硬貨である。また、第７硬貨収納部６０Ｇおよび第８硬貨収納部６０Ｈはそれぞれ第３種収納部であり、収納対象硬貨は直径の大きい硬貨である。
【００４８】
なお、第１種収納部、第２種収納部および第３種収納部の数は上記の例に限定されないが、第１種収納部、第２種収納部および第３種収納部のうち第２種収納部の数が最も多いことが好ましい。また、第１種収納部の数および第３種収納部の数はそれぞれ第２種収納部の数の半分以下であること好ましい。また、第１種収納部の数および第３種収納部の数のうち少なくとも一方の数は１つであることがより好ましい。
【００４９】
第１種収納部は、処理対象範囲が直径の小さい硬貨を対象とした第１処理対象範囲である硬貨を１枚ずつ繰出可能とする構成となっている。第２種収納部は、処理対象範囲が中間の直径の硬貨を対象とした第１処理対象範囲である硬貨を１枚ずつ繰出可能とする構成となっている。第３種収納部は、処理対象範囲が直径の大きい硬貨を対象とした第１処理対象範囲である硬貨を１枚ずつ繰出可能とする構成となっている。
【００５０】
具体的には、第１処理対象範囲は１４ｍｍ〜２１ｍｍであり、第２処理対象範囲は１６ｍｍ〜２６ｍｍであり、第３処理対象範囲は２１ｍｍ〜３３ｍｍである。なお、第１処理対象範囲、第２処理対象範囲および第３処理対象範囲の各々は上記の数値範囲に限定されないが、第２処理対象範囲の下限値および上限値は、それぞれ第１処理対象範囲の下限値および上限値よりも大きい。また、第３処理対象範囲の下限値および上限値がそれぞれ第２処理対象範囲の下限値および上限値よりも大きい。
【００５１】
また、第１処理対象範囲と第２処理対象範囲とが一部重なるとともに、第２処理対象範囲と第３処理対象範囲とが一部重なる。具体的には、第１処理対象範囲と第２処理対象範囲とは１６ｍｍ〜２１ｍｍの範囲で重なり、第２処理対象範囲と第３処理対象範囲とは２１ｍｍ〜２６ｍｍの範囲で重なる。
【００５２】
また、第１処理対象範囲と第２処理対象範囲との重なり（５ｍｍ）が、第１処理対象範囲（７ｍｍ）の４０％以上である。また、第２処理対象範囲と第３処理対象範囲との重なり（５ｍｍ）が、第３処理対象範囲（１２ｍｍ）の４０％以上である。また、第１処理対象範囲の上限値（２１ｍｍ）が、第３処理対象範囲の下限値（２１ｍｍ）以上である。
【００５３】
また、図１および図２に示すように、各硬貨収納部６０（第１種収納部、第２種収納部および第３種収納部）は、それぞれ傾斜状態で軸６１ａを中心として回転可能に設けられた円盤６１を有している。円盤６１は、表面に複数の突起６１ｂを有し、軸６１ａを中心として回転するときに各突起６１ｂにより硬貨が引っ掛けられて上昇させられることにより硬貨繰出口から繰り出される。
【００５４】
ここで、円盤６１の突起６１ｂの引っ掛け部の幅が、第１種収納部、第２種収納部および第３種収納部において異なっている。具体的には、第１種収納部の円盤６１の突起６１ｂの引っ掛け部の幅は、第１処理対象範囲である直径の小さい硬貨を１つのみ引っ掛ける大きさである。また、第２種収納部の円盤６１の突起６１ｂの引っ掛け部の幅は、第２処理対象範囲である中間の直径の硬貨を１つのみ引っ掛ける大きさである。また、第３種収納部の円盤６１の突起６１ｂの引っ掛け部の幅は、第３処理対象範囲である直径の大きい硬貨を１つのみ引っ掛ける大きさである。
【００５５】
具体的には、第１種収納部の円盤６１の突起６１ｂの引っ掛け部の幅は、２０ｍｍ〜２２ｍｍの範囲内の大きさである。また、第２種収納部の円盤６１の突起６１ｂの引っ掛け部の幅は、１８．５ｍｍ〜２１．５ｍｍの範囲内の大きさである。また、第３種収納部の円盤６１の突起６１ｂの引っ掛け部の幅は、１５ｍｍ〜２０．６ｍｍの範囲内の大きさである。
【００５６】
また、硬貨繰出口の幅の大きさが、第１種収納部、第２種収納部および第３種収納部において異なっている。具体的には、第１種収納部の硬貨繰出口の幅の大きさは、第１処理対象範囲である直径の小さい硬貨が一度に１つのみ繰り出される大きさである。また、第２種収納部の硬貨繰出口の幅の大きさは、第２処理対象範囲である硬貨が一度に１つのみ繰り出される大きさである。また、第３種収納部の硬貨繰出口の幅の大きさは、第３処理対象範囲である硬貨が一度に１つのみ繰り出される大きさである。
【００５７】
具体的には、第１種収納部の硬貨繰出口の幅の大きさは、２１．５ｍｍ〜２２ｍｍの範囲内の大きさである。また、第２種収納部の硬貨繰出口の幅の大きさは、２６．５ｍｍ〜２７ｍｍの範囲内の大きさである。また、第３種収納部の硬貨繰出口の幅の大きさは、３３．５ｍｍ〜３４ｍｍの範囲内の大きさである。
【００５８】
硬貨の出金処理が行われる際に、各硬貨収納部６０から繰り出された硬貨は収納ドロア１０２に送られ、この収納ドロア１０２に収納される。そして、硬貨の出金処理が完了した後、操作者は収納ドロア１０２を筐体１２の前面から手前側に引き出すことにより出金硬貨を収納ドロア１０２から取り出すことができるようになる。
【００５９】
また、硬貨の回収処理が行われる際に、回収ボックス１００が筐体１２の内部に装着されているが収納ドロア１０２が筐体１２の内部に装着されていないときには、各硬貨収納部６０から繰り出された硬貨は回収ボックス１００に送られてこの回収ボックス１００に収納される。そして、硬貨の回収処理が完了した後、操作者は回収ボックス１００を筐体１２の前面から手前側に引き出すことにより硬貨を回収ボックス１００ごと回収することができるようになる。
【００６０】
また、図４に示すように、硬貨入出金機１０の筐体１２の内部には、例えばＣＰＵ（中央演算処理装置）等の制御部９０が設けられている。制御部９０には繰出部２０、搬送部３０、識別部４０、各検出部４２、各選別部５０、リジェクト部５６、各硬貨収納部６０等の各構成要素が接続されている。識別部４０による硬貨の識別結果や各検出部４２による硬貨の検出結果は制御部９０に送られる。また、制御部９０は硬貨入出金機１０の各構成要素の指令信号を送ることにより各構成要素を制御する。
【００６１】
また、図４に示すように、制御部９０には操作表示部９２、記憶部９４および通信部９６が接続されている。操作表示部９２は、例えば筐体１２の前面または上面に設けられたタッチパネルである。硬貨入出金機１０における硬貨の処理状況や各硬貨収納部６０に収納されている硬貨の在高等の情報が操作表示部９２に表示される。また、操作者は操作表示部９２により制御部９０に様々な指令を入力することができる。
【００６２】
記憶部９４は、ＨＤＤ（Ｈａｒｄ  Ｄｉｓｋ  Ｄｒｉｖｅ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）またはＳＳＤ（Ｓｏｌｉｄ  Ｓｔａｔｅ  Ｄｒｉｖｅ）等で構成されている。記憶部９４には、硬貨入出金機１０における硬貨の処理履歴や各硬貨収納部６０に収納されている硬貨の在高等の情報が記憶される。
【００６３】
なお、操作表示部９２や記憶部９４は硬貨入出金機１０の内部に設けられるのではなく硬貨入出金機１０の外部に設けられていてもよい。この場合、制御部９０は通信部９６を介して硬貨入出金機１０の外部に設けられている操作表示部９２や記憶部９４と信号の送受信を行うようになっていてもよい。
【００６４】
制御部９０は、通信部９６により硬貨入出金機１０以外の装置に対して様々な信号の送受信を行うことができる。例えば、制御部９０は、通信部９６によりＰＯＳレジスタ等の上位端末に対して硬貨入出金機１０における硬貨の処理状況や各硬貨収納部６０に収納されている硬貨の在高等の情報を送信する。また、ＰＯＳレジスタ等の上位端末から通信部９６を介して制御部９０に硬貨の入金処理開始指令や出金処理開始指令が送られる場合がある。
【００６５】
次に、本実施の形態の硬貨入出金機１０による硬貨の処理方法について説明する。なお、以下の動作は制御部９０が硬貨入出金機１０の各構成要素を制御することにより行われる。
【００６６】
まず、硬貨入出金機１０により行われる硬貨の入金処理について説明する。筐体１２の上面に設けられた硬貨投入口を介して筐体１２の外部から内部に硬貨が投入されると、この投入された硬貨は繰出部２０に収納される。
【００６７】
繰出部２０に硬貨が収納され、この硬貨が残留検知センサにより検知されると、繰出部２０の円盤２２が軸２２ａを中心として図３における矢印方向に回転するとともに搬送部３０のベルト３０ａが図３における矢印方向に循環移動する。このことにより、繰出部２０から搬送部３０に硬貨が１枚ずつ繰り出される。
【００６８】
繰出部２０から搬送部３０に繰り出された硬貨はベルト３０ａに設けられた突起３０ｂに引っ掛けられることにより図３における矢印方向に搬送される。硬貨の搬送路に沿ってベルト３０ａにより搬送される硬貨は各検出部４２により検出される。このことにより、ベルト３０ａにより搬送される硬貨に搬送異常が生じている場合にはこのことが各検出部４２により検出される。また、ベルト３０ａにより搬送される硬貨が識別部４０を通過する際に、この硬貨の金種、真偽、正損、搬送状態等が識別部４０により識別される。
【００６９】
識別部４０を通過した硬貨のうち、この識別部４０の上流側にある検出部４２により検出されたが識別部４０により識別できなかった硬貨（例えば、樹脂から構成される樹脂貨等）はリジェクト部５６により搬送部３０から選別される。リジェクト部５６により選別された硬貨はリジェクト口１１２に送られる。
【００７０】
また、識別部４０を通過した硬貨のうち、正常な硬貨であると識別部４０により識別された硬貨は、この硬貨の金種が割り当てられた硬貨収納部６０に対応する選別部５０により搬送部３０から選別される。選別部５０により選別された硬貨はこの選別部５０に対応する硬貨収納部６０に送られ、この硬貨収納部６０に収納される。
【００７１】
なお、識別部４０により識別された硬貨の金種に対応する硬貨収納部６０がフル状態またはニアフル状態でありこの硬貨収納部６０に硬貨をこれ以上収納することができない場合は、この硬貨は硬貨収納部６０に対応する選別部５０により選別されない。そして、この硬貨はオーバーフロー選別部５２により搬送部３０から選別されてオーバーフローボックス１０６に送られる。
【００７２】
また、識別部４０により偽貨であると識別された硬貨は、偽貨選別部５４により搬送部３０から選別されて偽貨ボックス１０８に送られる。
【００７３】
搬送部３０においてベルト３０ａにより搬送される硬貨がリジェクト部５６、各選別部５０、オーバーフロー選別部５２および偽貨選別部５４の何れにも選別されなかった場合には、この硬貨は搬送部３０から案内部３８により繰出部２０に戻される。具体的には、検出部４２による硬貨の検出結果により硬貨の搬送異常（例えば、連鎖や重送）が検出されている場合には、このような硬貨は搬送部３０から案内部３８により繰出部２０に戻される。
【００７４】
そして、繰出部２０の円盤２２が回転動作を開始してから所定の時間（具体的には、繰出部２０に収納されている硬貨が全て搬送部３０に繰り出されて各硬貨収納部６０に収納されるのに十分な時間）が経過すると、繰出部２０の底部が開く。繰出部２０の底部が開くと、この繰出部２０に残されたクリップ等の異物は自重により繰出部２０から異物返却ボックス１１０に落下して異物返却ボックス１１０に収容される。
【００７５】
このようにして、硬貨入出金機１０における硬貨の入金処理が完了する。
【００７６】
次に、硬貨入出金機１０により行われる硬貨の出金処理について説明する。まず、硬貨の出金処理開始指令が制御部９０に入力されるとともに、出金されるべき硬貨の合計金額または金種毎の枚数に係る情報が制御部９０に入力される。このことにより、出金されるべき硬貨が各硬貨収納部６０から繰り出され、この繰り出された硬貨は収納ドロア１０２に収納される。
【００７７】
このようにして、出金されるべき硬貨が全て各硬貨収納部６０から繰り出され、収納ドロア１０２に収納されると、硬貨入出金機１０における硬貨の出金処理が完了する。その後、操作者は収納ドロア１０２を筐体１２の前面から手前側に引き出すことにより、出金硬貨を収納ドロア１０２から取り出すことができる。
【００７８】
次に、硬貨入出金機１０により行われる硬貨の回収処理について説明する。操作者はまず回収ボックス１００を筐体１２の内部に収容するとともに収納ドロア１０２を筐体１２の外部に取り出す。そして、硬貨の回収処理開始指令が制御部９０に入力されると、回収されるべき硬貨が各硬貨収納部６０から繰り出され、この繰り出された硬貨は回収ボックス１００に収納される。なお、回収されるべき硬貨とは、各硬貨収納部６０に収納されている全ての硬貨であってもよい。あるいは、釣銭準備金として所定の枚数の硬貨が各硬貨収納部６０に残され、それ以外の硬貨が回収されるべき硬貨として各硬貨収納部６０から繰り出されてもよい。
【００７９】
回収されるべき硬貨が全て各硬貨収納部６０から繰り出されて回収ボックス１００に送られると、操作者は回収ボックス１００を筐体１２から引き出すことにより硬貨を回収ボックス１００ごと回収することができる。このようにして硬貨入出金機１０における硬貨の回収処理が完了する。
【００８０】
以上のような構成からなる本実施の形態の硬貨入出金機１０によれば、硬貨を金種別に収納する硬貨収納部６０が、処理対象範囲が直径の小さい硬貨を対象とした第１処理対象範囲である硬貨を１枚ずつ繰出可能とする構成の第１種収納部と、処理対象範囲が中間の直径の硬貨を対象とした第２処理対象範囲である硬貨を１枚ずつ繰出可能とする構成の第２種収納部と、処理対象範囲が直径の大きい硬貨を対象とした第３処理対象範囲である硬貨を１枚ずつ繰出可能とする構成の第３種収納部と、を少なくとも含んでいる。また、第２処理対象範囲の下限値および上限値がそれぞれ第１処理対象範囲の下限値および上限値よりも大きく、第３処理対象範囲の下限値および上限値がそれぞれ第２処理対象範囲の下限値および上限値よりも大きい。また、第１処理対象範囲と第２処理対象範囲とが一部重なるとともに、第２処理対象範囲と第３処理対象範囲とが一部重なる。
【００８１】
このような硬貨入出金機１０によれば、１つの硬貨入出金機１０で様々な国の多種多様なサイズの硬貨に対応することができる。例えば、ある国で直径が非常に小さい硬貨が用いられている場合にはこの硬貨を第１種収納部に割り当てることにより、このような直径が非常に小さい硬貨を第１種収納部から繰り出させることができる。また、ある国で直径が非常に大きい硬貨が用いられている場合にはこの硬貨を第３種収納部に割り当てることにより、このような直径が非常に大きい硬貨を第３種収納部から繰り出させることができる。
【００８２】
一方、多くの国では、様々な金種の硬貨の直径の大きさにそれほど変動はない。すなわち、多くの国では、様々な金種の硬貨は、上述した直径が非常に小さい硬貨や直径が非常に大きい硬貨と異なり、直径が中間の大きさとなる。この場合には、様々な金種の硬貨のうち多くの金種を第２種収納部に割り当て、比較的直径の小さい金種および比較的直径の大きい金種をそれぞれ第１種収納部および第３種収納部に割り当てればよい。
【００８３】
ここで、従来では、様々な国で直径が非常に小さい硬貨および直径が非常に大きい硬貨が用いられることを考慮して、小径用の硬貨および大径用の硬貨にそれぞれ対応する２種類の硬貨入出金機を製造していた。そして、硬貨入出金機が導入される国で流通している硬貨の直径の大きさに対応する硬貨入出金機を選択して販売していた。しかしながら、製造機種の種類が多くなることにより製造コストが高くなるとともに、種類毎に製品の在庫を準備しておく必要があるため管理コストも高くなってしまうという問題があった。
【００８４】
これに対し、本実施の形態の硬貨入出金機１０によれば、上記の構成により、繰り出されるべき硬貨の直径の差が大きいような複数の種類の硬貨が処理される場合でも、１種類の硬貨入出金機１０で硬貨を１枚ずつ各硬貨収納部６０から繰り出すことができる。このように、本実施の形態の硬貨入出金機１０によれば、繰出可能な硬貨の直径の範囲が異なり、かつ当該範囲の一部が重なる３種類の硬貨収納部６０を設けることによって、１種類の硬貨入出金機１０でほぼ全ての国の硬貨に対応することができる。
【００８５】
また、上述したように、第１種収納部、第２種収納部および第３種収納部は、それぞれ傾斜状態で回転可能に設けられた円盤６１を有しており、円盤６１は、表面に複数の突起６１ｂを有している。そして、回転時に各突起６１ｂにより硬貨が引っ掛けられて上昇させられることにより硬貨繰出口から繰り出される。また、円盤６１の突起６１ｂの引っ掛け部の幅が、第１種収納部、第２種収納部および第３種収納部において異なる。この場合には、処理される硬貨の直径の大きさに応じて円盤６１の突起６１ｂの引っ掛け部の幅を変えることにより、処理される硬貨の直径がどのような大きさであっても第１種収納部、第２種収納部および第３種収納部のうち直径が処理対象範囲である硬貨収納部６０に収納させることにより、円盤６１の突起６１ｂの引っ掛け部にこの硬貨を引っ掛けて硬貨繰出口から繰り出させることができる。
【００８６】
また、第１種収納部の引っ掛け部の幅は、第１処理対象範囲である硬貨を１つのみ引っ掛ける大きさであり、第２種収納部の引っ掛け部の幅は、第２処理対象範囲である硬貨を１つのみ引っ掛ける大きさであり、第３種収納部の引っ掛け部の幅は、第３処理対象範囲である硬貨を１つのみ引っ掛ける大きさであることが好ましい。この場合には、処理される硬貨の直径がどのような大きさであっても、円盤６１の突起６１ｂの引っ掛け部にこの硬貨をより確実に引っ掛けて硬貨繰出口から繰り出させることができる。
【００８７】
また、上述したように、硬貨繰出口の幅の大きさが、第１種収納部、第２種収納部および第３種収納部において異なる。この場合には、処理される硬貨の直径の大きさに応じて硬貨繰出口の幅の大きさを変えることにより、処理される硬貨の直径がどのような大きさであっても第１種収納部、第２種収納部および第３種収納部のうち直径が処理対象範囲である硬貨収納部６０に収納させることにより、硬貨が硬貨繰出口を通過するようになるためこの硬貨を硬貨繰出口から繰り出させることができる。
【００８８】
また、第１種収納部の硬貨繰出口の幅の大きさは、第１処理対象範囲である硬貨が一度に１つのみ繰り出される大きさであり、第２種収納部の硬貨繰出口の幅の大きさは、第２処理対象範囲である硬貨が一度に１つのみ繰り出される大きさであり、第３種収納部の硬貨繰出口の幅の大きさは、第３処理対象範囲である硬貨が一度に１つのみ繰り出される大きさであることが好ましい。この場合には、処理される硬貨の直径がどのような大きさであっても、硬貨が硬貨繰出口をより確実に通過するようになるためこの硬貨を硬貨繰出口から繰り出させることができる。
【００８９】
また、上述したように、第１種収納部、第２種収納部および第３種収納部のうち第２種収納部の数が最も多く、第１種収納部の数および第３種収納部の数はそれぞれ第２種収納部の数の半分以下であることが好ましい。この場合には、比較的金種の数が多い、直径が第２処理対象範囲である硬貨を収納する第２種収納部の数が最も多くなる。このため、処理されるべき各金種の硬貨の合計枚数が多い場合でも大多数の硬貨を数の多い第２種収納部に収納させることにより硬貨入出金機１０で硬貨の入金処理が行われる際にオーバーフローが発生してしまうことを抑制することができる。
【００９０】
また、第１種収納部の数および第３種収納部の数のうち少なくとも一方の数は１つであることがより好ましい。直径が非常に小さい硬貨および直径が非常に大きい硬貨はそれぞれ第１種収納部および第３種収納部にしか収納することができないが、それ以外の中間の直径の硬貨は概ね第２種収納部に収納することができる場合が多い。このため、第１種収納部の数または第３種収納部の数が１つであっても大きな問題とはならない。
【００９１】
また、第１種収納部の数が１つ、第２種収納部の数が５つ、第３種収納部の数が２つであることが好ましい。この場合には、硬貨入出金機１０で硬貨の入金処理が行われる際にオーバーフローが発生してしまうことを抑制しつつ、直径が非常に小さい硬貨および直径が非常に大きい硬貨をそれぞれ第１種収納部および第３種収納部に収納することができるため、硬貨入出金機１０を最大限効率良く使用することができる。なお、直径が非常に小さい硬貨よりも直径が非常に大きい硬貨の数が多いと考えられるため、第３種収納部の数は１つではなく２つにしておくと、直径が非常に大きい硬貨の数が多い場合にも１つの硬貨入出金機１０で対応することができる。
【００９２】
また、上述したように、第１処理対象範囲と第２処理対象範囲との重なりが、第１処理対象範囲の４０％以上であり、第２処理対象範囲と第３処理対象範囲との重なりが、第３処理対象範囲の４０％以上であることが好ましい。この場合には、第２処理対象範囲を大きくすることができるため、様々な金種の硬貨を概ね第２種収納部に収納することができる。
【００９３】
また、上述したように、第１処理対象範囲の上限値が、第３処理対象範囲の下限値以上であることが好ましい。この場合には、第２処理対象範囲が第１処理対象範囲および第３処理対象範囲のうち少なくとも一方と重なるようになるため、様々な金種の硬貨を概ね第２種収納部に収納することができる。
【００９４】
また、上述したように、第１処理対象範囲は１４ｍｍ〜２１ｍｍであり、第２処理対象範囲は１６ｍｍ〜２６ｍｍであり、第３処理対象範囲は２１ｍｍ〜３３ｍｍであることが好ましい。ここで、様々な国の硬貨のうち直径が非常に小さい硬貨としては、例えばメキシコペソの１０セント硬貨（直径が１４ｍｍ）が考えられるが、このような硬貨も第１種収納部に収納させることができる。また、様々な国の硬貨のうち直径が非常に大きい硬貨としては、例えばオーストラリアドルの５０セント硬貨（直径が３１．６５ｍｍ）が考えられるが、このような硬貨も第３種収納部に収納させることができる。また、様々な国の硬貨のうち多くの金種の硬貨の直径は概ね１６ｍｍ〜２６ｍｍの範囲内となるので、様々な金種の硬貨を概ね第２種収納部に収納することができる。
【００９５】
なお、本実施の形態に係る硬貨入出金機は、上述したような態様に限定されることはなく、様々な変更を加えることができる。
【００９６】
上記の例では、硬貨を金種別に収納する硬貨収納部６０が、第１種収納部、第２種収納部および第３種収納部という３つの種類の収納部を含む例について説明したが、本実施の形態はこのような例に限定されることはない。硬貨を金種別に収納する硬貨収納部６０が、４つ以上の種類の収納部を含んでおり、各収納部で硬貨の直径の処理対象範囲が異なるようになっていてもよい。
【００９７】
また、硬貨を収納するとともに収納されている硬貨を繰出可能な硬貨収納部として図６および図７に示す構成のものが用いられてもよい。図６は、変形例に係る硬貨入出金機の各硬貨収納部６０ａの構成を概略的に示す概略構成図であり、図７は、図６に示す硬貨収納部６０ａの仕切り板６６の構成を示す構成図である。
【００９８】
図６に示すように、硬貨収納部６０ａの底部には、硬貨を１枚ずつ繰り出すための無端状のベルト６４ａを含む繰出部６４が設けられており、この繰出部６４の上方には、硬貨を収納する硬貨収納空間６２が形成されている。また、硬貨収納空間６２には、この硬貨収納空間６２に収納されている硬貨を繰出部６４に案内するガイド部材６５、６７が設けられている。硬貨収納空間６２に収納されている硬貨は繰出部６４のベルト６４ａ上に集積される。
【００９９】
繰出部６４のベルト６４ａが図６において反時計回りの方向に循環移動することにより、ベルト６４ａ上に集積されている硬貨が１枚ずつ硬貨収納空間６２から繰り出されて硬貨収納部６０の外部に出されるようになっている。また、ガイド部材６５の底面には仕切り板６６が設けられており、この仕切り板６６の下端とベルト６４ａとの間には、硬貨収納部６０ａに収納されるべき硬貨の厚さよりもわずかに大きい隙間が形成されている。
【０１００】
このような仕切り板６６が設けられていることにより、ベルト６４ａ上に集積されている硬貨が２枚以上まとめて重なった状態で硬貨収納空間６２から繰り出されてしまうことを抑制することができる。
【０１０１】
また、ガイド部材６５の底面に設けられている仕切り板６６は、ベルト６４ａに向かう方向およびベルト６４ａから退避する方向（図６における矢印方向）に往復移動することができるようになっている。このことにより、硬貨収納空間６２の側壁と仕切り板６６との間に硬貨が挟まってしまい硬貨収納部６０ａの出口部分で硬貨が詰まってしまうことを抑制することができる。
【０１０２】
また、図７に示すように、仕切り板６６は、ベルト６４ａに向かって先細となるようなテーパ部分６６ａを有している。このことにより、仕切り板６６がベルト６４ａに向かう方向およびベルト６４ａから退避する方向に往復移動すると、硬貨収納空間６２の側壁と仕切り板６６のテーパ部分６６ａとの間の距離が変わる。このため、硬貨収納空間６２の側壁と仕切り板６６との間に硬貨が挟まってしまうことをより一層確実に抑制することができる。
【０１０３】
なお、従来技術では、ベルト６４ａ上に集積されている硬貨が２枚以上まとめて重なった状態で硬貨収納空間６２から繰り出されてしまうことを抑制するための仕切り板は、ガイド部材６５の底面を中心として図６における左右方向に揺動するようになっていた。そして、このような仕切り板の揺動により、硬貨収納空間６２の側壁と仕切り板との間に硬貨が挟まってしまうことを抑制していた。
【０１０４】
しかしながら、仕切り板がガイド部材６５の底面を中心として図６における左右方向に揺動する場合は、ベルト６４ａ上に集積されている硬貨が仕切り板により押圧されたり大きく離れたりするため、硬貨のなだれこみ等により硬貨収納部６０ａの出口部分で硬貨が詰まる可能性があった。これに対し、仕切り板６６がベルト６４ａに向かう方向およびベルト６４ａから退避する方向に往復移動する場合には、従来技術のような硬貨収納部６０ａの出口部分における硬貨のなだれこみ等の現象の発生を抑制することができる。
【０１０５】
また、図６等に示すような硬貨収納部６０ａが用いられる場合、ベルト６４ａの速度が第１種収納部、第２種収納部および第３種収納部において異なるようになっていてもよい。
【０１０６】
具体的には、第１種収納部におけるベルト６４ａの速度は、第１処理対象範囲である硬貨を１枚ずつ繰り出すことができる大きさである。また、第２種収納部におけるベルト６４ａの速度は、第２処理対象範囲である硬貨を１枚ずつ繰り出すことができる大きさである。また、第３種収納部におけるベルト６４ａの速度は、第３処理対象範囲である硬貨を１枚ずつ繰り出すことができる大きさである。
【０１０７】
この場合には、処理される硬貨の直径の大きさに応じてベルト６４ａの速度を変えることにより、処理される硬貨の直径がどのような大きさであっても第１種収納部、第２種収納部および第３種収納部のうち直径が処理対象範囲である硬貨収納部６０に収納させることにより、適切な速度のベルト６４ａによって硬貨収納部６０ａから硬貨を１枚ずつ繰り出させることができる。
【０１０８】
また、図６に示すように、硬貨収納部６０ａには、硬貨収納空間６２に収納される硬貨がフル状態またはニアフル状態になったときにこのことを検出する検出部６８が設けられている。検出部６８は硬貨収納空間６２の上端の近傍に設けられている。
【０１０９】
検出部６８は、硬貨収納空間６２を挟むよう設けられた発光素子および受光素子を含む光学センサである。そして、硬貨収納空間６２に収納される硬貨がフル状態またはニアフル状態になったときに、発光素子から発せられた光が硬貨に遮られて受光素子により受けられなくなることにより検出部６８は硬貨収納空間６２に収納される硬貨がフル状態またはニアフル状態にことを検出する。
【０１１０】
また、図６等に示す硬貨収納部６０ａでは、検出部６８の位置を硬貨収納部６０ａの高さ方向（図６の上下方向）において変えることができるようになっている。例えば、図６において実線で示す位置と二点鎖線で示す位置との間で検出部６８を移動させることができるようになっている。
【０１１１】
直径の大きい硬貨が収納される硬貨収納部６０ａ（例えば、第３種収納部）では、検出部６８の位置を硬貨収納部６０ａの高さ方向において低くしておく。具体的には、検出部６８の位置を図６において実線で示す位置としておく。このことにより、硬貨収納部６０ａの内部で最上層に位置する硬貨が立ってしまった場合でも、検出部６８の位置と集積上限位置との間に大きなマージンを確保することにより、過剰集積となってしまうことを抑制することができる。
【０１１２】
一方、直径の小さい硬貨が収納される硬貨収納部６０ａ（例えば、第１種収納部）では、検出部６８の位置を硬貨収納部６０ａの高さ方向において高くしておく。具体的には、検出部６８の位置を図６において二点鎖線で示す位置としておく。このことにより、検出部６８の位置と集積上限位置との間のマージンが小さくなるため、硬貨収納部６０ａの硬貨収納量を大きくすることができる。
【０１１３】
このように、様々な直径の大きさの硬貨に対して共通の硬貨収納部６０ａが用いられる場合でも、検出部６８の位置を変えることにより、各々の硬貨の直径の大きさに応じた運用を行うことができる。具体的には、直径の大きい硬貨が収納される硬貨収納部６０ａについては過剰集積となってしまうことを抑制することができる。また、直径の小さい硬貨が収納される硬貨収納部６０ａについては硬貨収納量を大きくすることができる。
【０１１４】
また、本実施の形態による硬貨入出金機は、例えば店舗や金融機関のバックオフィス領域に設置されるものである。しかしながら、このような態様に限定されることはない。本実施の形態による硬貨入出金機が例えば店舗のフロント領域において釣銭機として用いられてもよい。
【符号の説明】
【０１１５】
１０    硬貨入出金機
１２    筐体
２０    繰出部
２２    円盤
２２ａ  軸
２２ｂ  突起
２８    取出機構
２９    異物排除ゲート
３０    搬送部
３０ａ  ベルト
３０ｂ  突起
３１    プーリ
３２    第１搬送路
３４    折り返し部分
３６    第２搬送路
３８    案内部
３９    プーリ
４０    識別部
４２    検出部
５０    選別部
５０Ａ〜５０Ｈ  第１〜第８選別部
５２    オーバーフロー選別部
５４    偽貨選別部
５６    リジェクト部
６０、６０ａ  硬貨収納部
６０Ａ〜６０Ｈ  第１〜第８硬貨収納部
６１    円盤
６１ａ  軸
６１ｂ  突起
６２    硬貨収納空間
６４    繰出部
６４ａ  ベルト
６５    ガイド部材
６６    仕切り板
６６ａ  テーパ部分
６７    ガイド部材
６８    検出部
９０    制御部
９２    操作表示部
９４    記憶部
９６    通信部
１００  回収ボックス
１０２  収納ドロア
１０６  オーバーフローボックス
１０８  偽貨ボックス
１１０  異物返却ボックス
１１２  リジェクト口
【図１】
2022000740.tif 000003
【図２】
2022000740.tif 000004
【図３】
2022000740.tif 000005
【図４】
2022000740.tif 000006
【図５】
2022000740.tif 000007
【図６】
2022000740.tif 000008
【図７】
2022000740.tif 000009